(57)【要約】  本発明は、エアロゾル噴霧システム（３０）の動作を制御するための制御デバイスであり、エアロゾル噴霧システム（３０）が、液体を噴霧するエアロゾル発生器（３１）と、複数のセンサユニット（３８ａ、３８ｂ、３８ｃ、３８ｄ、３８ｅ）とを備える、制御デバイス（２０）であって、エアロゾル噴霧システム（３０）とのワイヤレス通信接続を確立し、エアロゾル噴霧システム（３０）とのデータ伝送を実行するように構成された通信ユニット（２１）と、制御デバイス（２０）にワイヤレス伝送されるセンサユニット（３８ａ、３８ｂ、３８ｃ、３８ｄ、３８ｅ）に関係するセンサデータの選択をトリガするように構成されたセンサデータ制御ユニット（２２）と、を備える、制御デバイス（２０）に関する。
2020512161.tif 000002
【特許請求の範囲】
【請求項１】
エアロゾル噴霧システム（３０）の動作を制御するための制御デバイス（２０）であり、前記エアロゾル噴霧システム（３０）が、液体を噴霧するエアロゾル発生器（３１）と、複数のセンサユニット（３８ａ、３８ｂ、３８ｃ、３８ｄ、３８ｅ）とを備える、制御デバイス（２０）であって、
前記エアロゾル噴霧システム（３０）とのワイヤレス通信接続を確立し、前記エアロゾル噴霧システム（３０）とのデータ伝送を実行するように構成された通信ユニット（２１）と、
前記制御デバイス（２０）にワイヤレス伝送される前記センサユニット（３８ａ、３８ｂ、３８ｃ、３８ｄ、３８ｅ）に関係するセンサデータの選択をトリガするように構成されたセンサデータ制御ユニット（２２）と、を備える、制御デバイス（２０）。
【請求項２】
前記選択されたセンサデータが、前記制御デバイスにおいて実時間フィードバックを提供するために必要とされているものである、請求項１に記載の制御デバイス（２０）。
【請求項３】
前記センサデータ制御ユニット（２２）が、前記センサユニットのうちの１つまたは複数の動作モードを制御するようにさらに構成される、請求項１および２のいずれか１項に記載の制御デバイス（２０）。
【請求項４】
前記動作モードが、電力モード切換えを含む、請求項３に記載の制御デバイス（２０）。
【請求項５】
前記動作モードが、データモード切換えを含む、請求項３および４のいずれか１項に記載の制御デバイス（２０）。
【請求項６】
前記エアロゾル噴霧システム（３０）の前記センサユニットが、
エアロゾルセンサユニット、
動作状態センサユニット、
呼吸動作センサユニット、
環境条件センサユニット、
ユーザ認識センサユニット、
エアロゾル発生器識別センサユニット、
薬剤識別センサユニット、
薬剤充填レベルセンサユニット、および
エアロゾル噴霧器バッテリセンサユニット
のうちの少なくとも２つを含む、請求項１から５のいずれか１項に記載の制御デバイス（２０）。
【請求項７】
前記制御デバイス（２０）が、肺活量計システム（５０）および／または呼吸ガス分析システム（６０）を制御するようにさらに構成され、
前記肺活量計システム（５０）および／または前記呼吸ガス分析システム（６０）が、複数の追加のセンサユニットを含み、
前記通信ユニット（２１）が、前記肺活量計システム（５０）および／または前記呼吸ガス分析システム（６０）とのワイヤレス通信接続を確立し、前記肺活量計システム（５０）およびまたは前記呼吸ガス分析システム（６０）とのデータ伝送を実行するようにさらに構成され、
前記センサデータ制御ユニット（２２）が、前記制御デバイス（２０）にワイヤレス伝送される前記追加のセンサユニットの追加のセンサデータの選択をトリガするようにさらに構成される、請求項１から６のいずれか１項に記載の制御デバイス（２０）。
【請求項８】
前記センサデータ制御ユニット（２２）が、前記追加のセンサユニットのうちの１つまたは複数の動作モードを選択するようにさらに構成される、請求項７に記載の制御デバイス（２０）。
【請求項９】
前記追加のセンサユニットが、
肺診断センサユニット、
呼吸ガスセンサユニット、
バッテリセンサユニット、
温度センサユニット、および
ユーザ認識センサユニット
のうちの少なくとも２つを含む、請求項７および８のいずれか１項に記載の制御デバイス（２０）。
【請求項１０】
ユーザが、前記エアロゾル噴霧システム（３０）、および／または前記肺活量計システム（５０）、および／または前記呼吸ガス分析システム（６０）を、所定の治療および診断プロトコルに従って使用しているかどうかを判定するように構成された評価ユニット（２３）をさらに備える、請求項１から９のいずれか１項に記載の制御デバイス（２０）。
【請求項１１】
前記評価ユニット（２３）が、前記センサユニットの前記センサデータ、および／または前記追加のセンサユニットの前記追加のセンサデータを使用して、前記所定の治療および／または診断プロトコルへの準拠度を決定するように構成され、特に、
実際の処置および／または治療の間隔を前記所定の治療および診断プロトコルと比較すること、
実際の処置の持続時間を前記所定の治療プロトコルと比較すること、
前記ユーザの実際の吸息／呼息パターンを前記所定の治療および診断プロトコルによって規定される吸息／呼息パターンと比較すること、
実際のエアロゾル送達投与量、および／または前記ユーザの肺内の沈着量を決定すること、
環境要因を決定すること、ならびに／あるいは
前記ユーザの差し迫った悪化を予測すること、
のうちの１つまたは複数を行うように構成される、請求項１０に記載の制御デバイス（２０）。
【請求項１２】
前記評価ユニット（２３）が、ユーザ認識ユニットに動作可能に接続される、請求項１０および１１のいずれか１項に記載の制御デバイス（２０）。
【請求項１３】
前記評価ユニット（２３）が、前記センサユニットの前記センサデータ、および／または前記追加のセンサユニットの前記追加のセンサデータの評価に基づいて緊急呼び出しまたは警報機能を生成するようにさらに構成される、請求項１０から１２のいずれか１項に記載の制御デバイス（２０）。
【請求項１４】
前記評価ユニット（２３）が、前記ユーザが前記所定の治療および診断プロトコルから所定のしきい値を超えて逸脱したときに表示を提供するようにさらに構成される、請求項１０から１３のいずれか１項に記載の制御デバイス（２０）。
【請求項１５】
前記評価ユニット（２３）が、前記エアロゾル噴霧システム（３０）、および／または前記肺活量計システム（５０）、および／または前記呼吸ガス分析システム（６０）の使用の使用法誤りを決定するようにさらに構成される、請求項１０から１４のいずれか１項に記載の制御デバイス（２０）。
【請求項１６】
前記評価ユニット（２３）が、前記エアロゾル噴霧システム（３０）、および／または前記肺活量計システム（５０）、および／または前記呼吸ガス分析システム（６０）のエラー状態を決定するようにさらに構成される、請求項１０から１５のいずれか１項に記載の制御デバイス（２０）。
【請求項１７】
前記評価ユニット（２３）が、前記エアロゾル噴霧システム（３０）の一部、および／または前記肺活量計システム（５０）の一部、および／または前記呼吸ガス分析システム（６０）の一部が保守または交換を必要としているかどうかを判定するようにさらに構成される、請求項１０から１６のいずれか１項に記載の制御デバイス（２０）。
【請求項１８】
前記評価ユニット（２３）が、使用法誤り、エラー状態を決定したとき、ならびに／あるいは前記エアロゾル噴霧システム（３０）の一部、および／または前記肺活量計システム（５０）の一部、および／または前記呼吸ガス分析システム（６０）の一部が保守または交換を必要としているときに、通知メッセージを伝送するようにさらに構成される、請求項１５から１７のいずれか１項に記載の制御デバイス（２０）。
【請求項１９】
前記制御デバイスが、前記エアロゾル噴霧システム（３０）、および／または前記肺活量計システム（５０）、および／または前記呼吸ガス分析システム（６０）の設定データをさらに適応させる、特に、
視覚的表示、音響表示、および／または触覚表示に使用されるしきい値および／またはパラメータをユーザ固有に適応させる、請求項１から１８のいずれか１項に記載の制御デバイス（２０）。
【請求項２０】
前記ワイヤレス通信接続が、Ｂｌｕｅｔｏｏｔｈ（登録商標）接続、Ｂｌｕｅｔｏｏｔｈ（登録商標）  Ｌｏｗ  Ｅｎｅｒｇｙ接続、近距離場接続、ＷｉＦｉまたはＷＬＡＮ接続、赤外線接続、あるいは無線接続のうちの１つである、請求項１から１９のいずれか１項に記載の制御デバイス（２０）。
【請求項２１】
前記制御デバイス（２０）が、スマートフォン、タブレット、あるいはその他の携帯型またはウェアラブルデバイスのうちの１つである、請求項１から２０のいずれか１項に記載の制御デバイス（２０）。
【請求項２２】
エアロゾル噴霧システム（３０）の処理ユニット（３２）が、前記制御デバイスに伝送されるデータ量を削減するためのデータフィルタリングおよび／またはデータ論理を含む、請求項１から２１のいずれか１項に記載の制御デバイス（２０）。
【請求項２３】
前記エアロゾル発生システム（３０）が、
前記エアロゾル発生器がその中にエアロゾルを放出する混合チャンバ（３４）と、
吸息弁（７０）と、
呼息弁（７３）と、をさらに備える、請求項１から２２のいずれか１項に記載の制御デバイス（２０）。
【請求項２４】
前記エアロゾル発生システム（３０）が、
前記エアロゾル発生器がその中にエアロゾルを放出する混合チャンバ（３４）と、
吸息相中に開いて周囲空気が前記混合チャンバ（３４）に流入することを可能にし、呼息相中に閉じてエアロゾルが前記混合チャンバ（３４）から逃げることを防止する、吸息弁（７０）と、
前記呼息相中に開いて患者の呼気を周囲に排出することを可能にし、前記吸息相中に閉じて周囲空気の流入を防止する、呼息弁（７３）と、をさらに備える、請求項１から２２のいずれか１項に記載の制御デバイス（２０）。
【請求項２５】
コンピュータの少なくとも１つのプロセッサで実行されたときに前記少なくとも１つのプロセッサを請求項１から２４のいずれか１項に記載の制御デバイスとして機能させる命令を含む、コンピュータプログラム。
【請求項２６】
請求項２５に記載のコンピュータプログラムを格納しているコンピュータ可読ストレージ媒体。
【請求項２７】
請求項２５に記載のコンピュータプログラムを収容するキャリアであって、電気信号、光信号、無線信号、またはコンピュータ可読ストレージ媒体のうちの１つである、キャリア。
【発明の詳細な説明】
【技術分野】
【０００１】
本発明は、肺活量計システムおよび／または呼吸ガス分析システムを制御するために使用することもできる、エアロゾル噴霧システムの動作を制御する制御デバイスに関する。
【背景技術】
【０００２】
従来のエアロゾル噴霧器が、薬液からエアロゾルを生成するエアロゾル発生器を有することは既知である。ユーザ／患者にとってのエアロゾル噴霧器の使い勝手を改善するために、外部制御デバイスが使用されることがある。例えばアプリケーションソフトウェアプログラム（ＡＰＰまたはモバイルＡＰＰ）を実装するスマートフォンなど、このような制御デバイスは、プロセッサと、例えば不揮発性メモリの形態などのメモリと、ディスプレイと、キーボード、個別のボタン、またはディスプレイのタッチセンス面の形態で構成されることがある入力ユニットとを備えることがある。
【０００３】
このような外部制御デバイスは、さらに、適当なインタフェースを実装して、エアロゾル噴霧器とのワイヤレス通信接続を確立して、エアロゾル噴霧器に設定データを転送して、エアロゾル発生器の動作を適当に設定および制御することもある。同様に、噴霧データおよび／または測定データ（治療関係データとも呼ぶ）が、エアロゾル噴霧器の１つまたは複数のセンサユニットによって生成され、ワイヤレス通信接続を介してエアロゾル噴霧器から外部制御デバイスに転送されることもある。このような噴霧データおよび／または測定データは、例えば、エアロゾル噴霧器の内部制御ユニットによって生成されることもあるし、あるいはエアロゾル噴霧器に取り付けられ、かつ／またはエアロゾル噴霧器に接続された１つまたは複数のセンサユニットによって生成されることもある。このような外部制御デバイスの例として、例えばＤＥ１０２４３３７１Ａ１または米国特許出願公開第２００６／０２３７００１号に記載のスマートフォンまたはＰＤＡの形態などの外部コンピューティングデバイスがある。
【０００４】
このような外部制御デバイスは、さらに、電気通信モジュールを有することもあり、したがって、設定データおよび吸入／測定データ（センサデータ）を、インターネットまたはクラウドを介して、例えば遠隔医療および（集中）電子医療記録のために中央データベースまたは中央データサーバに転送する、あるいは例えば患者の主治医などユーザ自身以外の個別の受信者に転送する機能を提供することもある。
【発明の概要】
【発明が解決しようとする課題】
【０００５】
治療プロトコルへの遵守度を改善すること、治療プロトコルを動的に適応させること、ならびに吸入プロセス中の制御デバイスにおける患者の訓練およびサポートなどの実時間の治療関係機能を提供することによって吸入療法の成功度を改善するために、上述の外部制御デバイスを診断デバイスに接続して、ユーザ／患者の気道の状態、ならびに／あるいは肺の状態および／または機能を監視することが、さらに提案されている。このような診断デバイスの例としては、ユーザ／患者の肺によって吸息／呼息される空気の流量および体積を測定することができるフローセンサ、または特に肺活量計がある。さらに、肺活量計は、換気、すなわち肺に出入りする空気の動きを測定することもできる。既知の通り、例えば、治療関係データ、特に診断関係データも生成する圧力変換器、超音波送信器、熱線風速計、タービン（光学、音響）など、いくつかの異なるセンサユニットを測定に使用する様々なタイプの肺活量計がある。
【０００６】
したがって、エアロゾル噴霧器に取り付けられる、または接続される複数のセンサユニット、および／あるいは肺活量計に取り付けられる、または接続される複数の追加のセンサユニットが全て、外部制御デバイスとのワイヤレス通信接続を使用して伝送されるセンサデータを生成する。例えば、ＤＥ１０２４３３７１Ａ１および米国特許出願公開第２００６／０２３７００１号では、エアロゾル噴霧器がオンである限り連続的にセンサユニットの測定信号を供給し、これらの連続的に供給される測定信号を処理することによって得られる全ての治療関係データを連続的に伝送することが提案されている。しかし、データ伝送速度、すなわち確立されたワイヤレス通信接続を介して伝送することができる単位時間あたりのデータ量は、一定であることがある。特に、例えば携帯型のエアロゾル噴霧器および／または肺活量計のバッテリ要件を制限する目的などでＢｌｕｅｔｏｏｔｈ（登録商標）  Ｌｏｗ  Ｅｎｅｒｇｙなど容量の少ないワイヤレス通信接続を使用する場合には、そうである可能性がある。追加のセンサユニットを適用することによってセンサデータの量が増加し続けると、データ伝送速度が一定であることが、吸入プロセス中および／または肺活量計の使用中の制御デバイスにおける患者の訓練およびサポートなど実時間の治療関係フィードバック機能を提供する上で不利になる可能性がある。
【０００７】
以上のことを背景に、本発明の目的は、上述の技術的欠点を克服する制御デバイスを提供することである。
【課題を解決するための手段】
【０００８】
本発明による制御デバイスの特徴は、請求項１に定義されている。有利な実施形態は、従属請求項に記載されている。
【０００９】
さらに、本発明によるコンピュータプログラムの特徴は、請求項２５に記載されており、このコンピュータプログラムを含むコンピュータ可読ストレージ媒体およびキャリアの特徴は、請求項２６および２７にそれぞれ記載されている。
【図面の簡単な説明】
【００１０】
【図１】実施形態によるエアロゾル噴霧システムの制御デバイスを示す概略図である。
【図２】吸入中のセンサデータの伝送の優先順位付けを示す概略図である。
【図３】実施形態によるエアロゾル噴霧システムおよび肺活量計システムの制御デバイスを示す概略図である。
【図４】実施形態によるエアロゾル噴霧システム、肺活量計システム、および呼吸ガス分析システムの制御デバイスを示す概略図である。
【図５Ａ】実施形態による制御デバイスにおける患者の訓練およびサポートに関連する概略図である。
【図５Ｂ】実施形態による制御デバイスにおける患者の訓練およびサポートに関連する概略図である。
【図５Ｃ】実施形態による制御デバイスにおける患者の訓練およびサポートに関連する概略図である。
【図５Ｄ】実施形態による制御デバイスにおける患者の訓練およびサポートに関連する概略図である。
【図５Ｅ】実施形態による制御デバイスにおける患者の訓練およびサポートに関連する概略図である。
【図６】実施形態によるエアロゾル噴霧システムの吸息弁および呼息弁を備えた混合チャンバを示す概略図である。
【発明を実施するための形態】
【００１１】
図面を参照して、本発明の実施形態について説明する。なお、以下の説明は、本発明を限定するものとして解釈すべきではないことに留意されたい。以下、同様または同じ参照符号は、同様または同じ要素または動作を示している。
【００１２】
図１は、エアロゾル噴霧システム３０と組み合わされて通信対話する、実施形態による制御デバイス２０を示す図である。
【００１３】
ここで、エアロゾル噴霧システム３０は、例えばメンブレン式エアロゾル発生器など、エアロゾル噴霧システム３０のタンク７８に保持された液体を噴霧するのに適したエアロゾル発生器３１を備えることができる。液体は、少なくとも１種類の有効医薬品成分、薬剤、および／または少なくとも１種類の治療関連流体（塩化ナトリウム溶液など）を含む流体、ならびに／あるいは診断補助のためにエアロゾルを生成する元となる流体（蛍光エアロゾル、または単分散エアロゾルなど）である可能性がある。この液体／流体は、エアロゾル発生器３１によってエアロゾルに変換され、このエアロゾルが、その後、例えばマウスピース３５に接続された混合チャンバ３４に入る。このマウスピースから、患者／ユーザは、肺、喉、鼻、または鼻腔などの気道にエアロゾルを吸入して、規定のエアロゾル治療プロトコルに従った医学治療を行う。さらに、エアロゾル発生器３１（図１）は、通信インタフェース３３を介して制御デバイス２０から提供されることも、あるいはエアロゾル噴霧システム３０の処理ユニット３２に予め設定されていることもある設定データに従って動作する。逆に、エアロゾル噴霧システム３０は、エアロゾル噴霧システム３０またはその付近にある１つまたは複数のセンサユニット３８ａ、３８ｂ、３８ｃ、３８ｄ、３８ｅによって生成される吸入データおよび／あるいは測定データ（以下では治療関係データまたはセンサデータとも呼ぶ）を、確立されたワイヤレス通信対話を介して制御デバイス２０に提供する。ここで、ワイヤレス通信接続は、Ｂｌｕｅｔｏｏｔｈ（登録商標）接続、Ｂｌｕｅｔｏｏｔｈ（登録商標）  Ｌｏｗ  Ｅｎｅｒｇｙ接続、近距離場接続、ＷｉＦｉまたはＷＬＡＮ接続、赤外線接続、ＬｏＲａ接続（ワイヤレスのバッテリ駆動型のＩｏＴ（Ｉｎｔｅｒｎｅｔ  ｏｆ  ｔｈｉｎｇｓ）デバイス用の低電力広域ネットワーク接続）、または無線接続などのうちの１つであることができる。ここで、例えばＢｌｕｅｔｏｏｔｈ（登録商標）  Ｌｏｗ  Ｅｎｅｒｇｙのデータレートは、２００ｋＢｉｔ／ｓ未満、またはさらに低く１００ｋＢｉｔ／ｓ未満であることがある。さらに、ワイヤレスＬｏＲａ接続のデータレートは、０．３〜５０ｋＢｉｔ／ｓという低さであることもある。さらに、不正アクセスを回避するために、設定データおよび／またはセンサデータが暗号化されることもある。さらに、誤り訂正機能（チェックサムなどに基づく）を実施することによって、常にデータの完全性を保証することもある。
【００１４】
図１に示す実施形態では、エアロゾル噴霧システム３０は、５つのセンサユニット３８ａ、３８ｂ、３８ｃ、３８ｄ、３８ｅを備えるが、エアロゾル噴霧システム３０は、これら５つのセンサユニットに限定されるわけではなく、センサユニットの数は５つより多くても少なくてもよい。一般に、センサユニットは、治療に関連するパラメータの測定信号を、それらの測定信号に対して信号に基づく処理（例えばアナログデジタル変換、フィルタリング、増幅）を行うことによってそれらの測定信号から治療関係データを生成する処理ユニット３２に供給する。治療関係データ（センサデータ）は、処理ユニット３２から通信インタフェース３３に出力され、制御デバイス２０にワイヤレス伝送される。
【００１５】
図１に示すセンサユニット３８ａ、３８ｂ、３８ｃ、３８ｄ、および３８ｅは、測定信号を生成する様々なセンサユニットの例を表している。例えば、センサユニット３８ａは、メンブレン式エアロゾル発生器３１の動作状態、例えば電力消費、エアロゾルの温度ならびに／または現在の出力および／もしくは消費、液体タンクの充填状態、あるいはエアロゾル発生器３１の別の治療関連パラメータなどを検出することができる。メンブレン式エアロゾル発生器の動作状態、および／または治療関連パラメータは、センサ信号から直接または間接的に測定または計算することができる。センサユニット３８ｂは、混合チャンバ３４内のエアロゾルの存在、およびエアロゾル密度を検出することができる。センサユニット３８ｃは、例えば周囲空気の温度、湿度、および汚染状態、ならびに／あるいは周囲空気の圧力を検出する環境条件センサユニットであってもよい。さらに、センサユニット３８ｄは、例えば患者の呼吸流を検出することができる。このような呼吸動作センサユニットは、生成されたエアロゾルの吸入中、および呼息中に、ユーザ／患者の呼吸（呼息および吸息）動作と呼吸流とを決定することができる。さらに、センサユニット３８ｅは、ユーザ／患者がマウスピース３５と実際に接触しているかどうかを検出することができる。もちろん、マウスピース３５は、例えばマウスピース、フェイスマスク、鼻プロング、チューブ、ならびに例えば接触面、ディスプレイ、ボタン、およびハンドルなどユーザ／患者が実際に接触しているかどうかを検出するための各接触領域など、任意の種類の接続器とすることができる。
【００１６】
図１に示す実施形態では５つのセンサユニット３８ａ、３８ｂ、３８ｃ、３８ｄ、３８ｅを示しているが、生成する治療関連測定信号を増やしたり減らしたりするために、本発明によるエアロゾル噴霧システム３０が備えるセンサユニットをこれより多くしたり少なくしたりすることができることは明らかである。
【００１７】
例えば、エアロゾルセンサユニットは、エアロゾル密度、あるいは例えば質量中央径（ＭＭＤ）、質量中央空気力学的径（ＭＭＡＤ）、ＭＭＤまたはＭＭＡＤからの標準偏差、またはＧＳＤ（幾何学的標準偏差）などのエアロゾル小滴の統計学的性質などのエアロゾル品質など、生成されたエアロゾルの１つまたは複数のパラメータをさらに決定することもある。
【００１８】
さらに、ユーザ認識センサユニットを設けて、エアロゾル噴霧器の現在のユーザを識別することもできる。以下でさらに説明するように、ユーザ認識は、コード、アイコン、スマートカード、顔認証、指紋、虹彩スキャン、および／またはセンサユニットの特殊機能に基づく可能性がある。さらに、ユーザ認識は、本発明の制御デバイスから識別データを受信すること、アプリケーションソフトウェアプログラムに基づく識別データを受信すること、あるいは医療デバイス（補聴器、心臓ペースメーカ、インシュリンポンプ）、またはユーザをスキャンして認識する機能をそれ自体が備えている車両などの外部デバイスから識別データを受信することによって実現することもある。
【００１９】
さらに、エアロゾル発生器識別センサユニットが、エアロゾル噴霧システムで現在使用されている特定のタイプのエアロゾル発生器を識別し、薬剤識別センサユニットが、現在エアロゾルを生成する際に使用されている薬剤の種類を識別することもある。この識別は、光スペクトル測定（液体内、またはエアロゾル小滴内）に基づくことも、あるいは液体を入れたアンプルに設けたＲＦＩＤチップまたは別のストレージ要素に基づく、または流体内の電気抵抗測定に基づくこともある。
【００２０】
さらに、エアロゾル噴霧器バッテリセンサユニットを設けて、バッテリの現在の充電状態（ＳＯＣ）、以前の充電および／または放電サイクル、バッテリのバッテリ電圧、ならびにバッテリセルそれぞれのバッテリ電圧などを決定することもできる。これは、セル電圧、充電および／または放電電流、充電および／または放電時間、ならびに参照テーブルに提供することができるそれぞれの目標値との比較を測定することによって実現することができる。さらに、新たなバッテリセルを挿入するときに、その新たな電気的パラメータ（電圧、電流、ＳＯＣ）を、それらの目標値と比較することもできる。
【００２１】
図１に示す外部制御デバイス２０は、スマートフォン、タブレット、携帯情報端末（ＰＤＡ）、ネットブックコンピュータ、ノートブックコンピュータ、ラップトップコンピュータ、パーソナルコンピュータ、またはスマートウォッチ、スマートグラス、ランニングコンピュータ、補聴器、もしくはインシュリンポンプコンピュータなどの埋込み型医療機器などのウェアラブルデバイス、あるいはその他の携帯型デバイスとすることができる。
【００２２】
実施形態によるエアロゾル噴霧システム３０の制御デバイス２０は、治療関係評価のためのアプリケーションプログラム（例えばＡＰＰ）を備えることもある。このプログラムは、制御デバイス２０のメモリユニット２５に格納することができ、制御デバイス２０のオペレーティングシステムのフレームワーク内でそこから開始することができる。さらに、これに換えて、例えば通信ユニット２１などのインタフェース、または追加のインタフェース（ＲＳ−２３２、ＵＳＢ、またはＦｉｒｅＷｉｒｅなど）を介して制御デバイス２０のメモリユニット２５にアプリケーションプログラムを転送し、そのアプリケーションプログラムを制御デバイス２０のオペレーティングシステムのフレームワーク内でそこから開始することも可能である。最後に、このようなアプリケーションプログラムは、例えばインターネットを介してダウンロードするなど、遠隔データ接続ユニット（図示せず）を介して制御デバイス２０のメモリユニット２５にロードして、制御デバイス２０のオペレーティングシステムのフレームワーク内でそこから開始することもできる。
【００２３】
従来は、エアロゾル噴霧システム３０をオンにした後で、３８ａ、３８ｂ、３８ｃ、３８ｄ、および３８ｅが処理ユニット３２のためのセンサ信号を生成し、処理ユニット３２が、それらの測定信号に対して信号に基づく処理を行うことによってそれらの測定信号から治療関係データ（センサデータ）を生成し、そのセンサデータを通信インタフェース３３に搬送する。通信インタフェース３３は、センサデータを処理ユニット３２から受信する限り、そのセンサデータを外部制御デバイス２０の通信ユニット２１に伝送する。このような複数のセンサユニットからのセンサデータの連続生成は、エアロゾル噴霧システム３０と外部制御デバイス２０の間に確立されたワイヤレス通信接続を介して単位時間あたりに伝送することができるセンサデータの量に限りがあることがあるので、伝送のボトルネックにつながる可能性がある。特に、これは、例えば携帯型エアロゾル噴霧器のバッテリ要件を制限するためにＢｌｕｅｔｏｏｔｈ（登録商標）  Ｌｏｗ  Ｅｎｅｒｇｙなどの（一定の）低容量ワイヤレス通信接続を使用するときには、そうである可能性がある。しかし、データ伝送速度が制限されていることは、制御デバイスにおける患者の訓練およびサポートなど制御デバイス２０による実時間の治療関係機能を提供する上で不利になる可能性がある。例えば、制御デバイスにおけるこのような実時間フィードバック機能は、治療アプリケーション内でユーザを誘導する視覚的および／または音響的フィードバックを提供し、かつ／あるいは治療アプリケーションを適当に補正するシミュレーションおよび／またはアニメーションモジュールを実装することもある。１つの実施形態では、このような視覚的フィードバックは、エアロゾル噴霧システム３０（ならびに／あるいは後述する肺活量計システムおよび／または呼吸ガス分析システム）の実際の使用を極力妨げないようにして治療、訓練、運動コース、アプリケーション、診断プロトコル、および場合によっては補正における実時間誘導をサポートすることができるデータグラス、スマートグラス、または仮想現実グラスなどにおける視覚的表現を使用して提供することができる。
【００２４】
上述の技術的制限を克服するために、図１に示す制御デバイス２０は、センサデータ制御ユニット２２を備える。センサデータ制御ユニット２２は、例えばエアロゾル噴霧システム３０の通信インタフェース３３から制御デバイス２０の通信ユニット２１にワイヤレス伝送すべき現在生成されているセンサデータの適当なサブセットなど、センサデータの選択をトリガすることができる。ここで、エアロゾル噴霧システム３０におけるセンサデータ制御ユニット２２からの現在生成されているセンサデータの選択は、対応する信号（指示）などを伝送することによってトリガすることができる。
【００２５】
図２は、同じ周波数または異なる周波数で連続的に生成することができるそれぞれのセンサデータ（図２には四角として示す）を生じるセンサユニットＳ１、Ｓ２、…、ＳＮに基づくこの手法を示す図である。例えば、各センサユニットは、部分的には、１０００を超える測定値（センサデータに変えられる）を生成することもある。吸入中には、選択された優先されるセンサデータのみが、制御デバイスに伝送される。センサデータは、例えば、参照テーブル（データベース）、論理、ならびに／あるいはサンプル値、平均値、傾向分析、および／または曲線の概形などのアルゴリズムを介して縮小することもできる。この概念を、図２にさらに示す。特に、吸入中に、センサデータのサブセット（ここではセンサＳ１およびＳ２に対応するセンサデータ）について外部制御デバイス２０への優先転送を行い、残りのセンサデータ（ここではセンサＳ３およびＳＮに対応するセンサデータ）は、例えば吸入後など後に転送するためにエアロゾル噴霧システムに一時的に格納しておく。したがって、特に、吸入プロセス中には、制御デバイス２０は、実時間フィードバックに必要なセンサデータのサブセットの優先転送に基づいて実時間フィードバックを提供することができる。
【００２６】
ここで、フィードバックは、映像、視覚的説明、または音響チュートリアルとして提供することができ、個人訓練、訓練プログラム、個人教授、または理学療法士などを含むことがある。これは、介護者、医師または薬剤師、医薬品開発業受託機関（ＣＲＯ）、製造業者、および製薬会社などと組み合わせたボーナスまたはクレジットシステムを含むこともある。
【００２７】
例えば、ユーザ／患者が吸入プロセスを開始するときに、エアロゾル噴霧システムは、対応するメッセージを制御デバイス２０に送信することがあり、これにより制御デバイス２０は吸入モードに切り替わる。この吸入モードは、特定の吸入訓練、または伝送されたセンサデータに基づいて実時間で吸入をサポートするアプリケーションを含むこともある。一方で、この吸入モードは、吸入中にのみ表示（または再生）することができる特定のゲーミフィケーション（例えば子供用のアニメーションを含む）を含むこともある。ここでは、ゲーミフィケーションボーナスシステムは、治療への準拠をさらに増進させる可能性がある。
【００２８】
吸入プロセスを開始することによって、例えば呼吸流測定、エアロゾル密度測定、粒子サイズ測定、使用測定、接触測定、傾斜測定、および／または加速度測定に関するものなど、追加のセンサユニットが起動されることもある。これらのセンサのセンサデータが既定の、または適応されたしきい値を超える、または下回る場合には、エアロゾル噴霧システム３０および制御デバイス２０の両方において警告表示が示されることがある。さらに、エアロゾル噴霧システム３０の傾斜角が既定の、または適応されたしきい値を超える場合には、実時間のシミュレーション、アニメーション、および／またはゲーム（ゲーミフィケーション）が中断され、ユーザ／患者を適当な吸入プロセスに復帰させるように誘導する対応する表示が、制御デバイス２０に表示される。
【００２９】
上記の吸入モードは、制御デバイス２０およびエアロゾル噴霧システム３０の様々なユーザに関連して規定することもできる。例えば、１つのモードでは、子供がエアロゾル噴霧システム３０を使用し、制御デバイス２０において、患者／介護者／監督者に、例えば完全沈着シミュレーションおよび／または吸入評価（緑色、黄色、赤色の光信号など）をさらに含むこともある詳細な実時間フィードバック（プッシュ通知）が提供される。したがって、患者／介護者／監督者は、吸入が適切に行われているかどうかを判定することができる。別のモードでは、子供が制御デバイスも使用し、例えばエアロゾル噴霧システム（３０）の個々の使用によって対話的にアニメーション化されるゲーム（上述）で遊んでいるときに、制御デバイスが伝送されるセンサデータを収集する。様々なモードの間の区別は、以下でさらに述べるように、制御デバイス２０およびエアロゾル噴霧システム３０の両方におけるユーザ認識に基づくことがある。
【００３０】
さらに、制御デバイス２０は、例えばユーザの健康状態が改善または低下したときなど治療プロトコルの進行中に適宜適応されることもある既定のしきい値に基づくセンサデータの選択をトリガすることもできる。ここで、これらのしきい値は、設定データの形態で、または明示的なシグナリングとして、エアロゾル噴霧システム３０に伝送することができる。
【００３１】
例えば、特定の時間期間にわたってエアロゾル噴霧システムの動きが検出されないとき、または制御デバイス２０によって与えられる傾斜角の既定のしきい値を超えたときには、加速度計および／または傾斜センサのセンサデータのみを伝送する。
【００３２】
さらに別の例によれば、制御デバイス２０は、特定のセンサユニットのセンサデータ全体のうちのサブセットのみの転送をトリガすることもある。例えば、制御デバイスのディスプレイにおいて呼吸動作の定性的評価のみを行えばよく、完全な肺活量測定が不要である限り、呼吸流センサのセンサデータ全体のうち、ｎ個（ｎ＞１）ごとのセンサデータのみを伝送する。測定曲線全体（例えば以下で述べるような肺活量測定に関する測定曲線全体）、および／あるいは吸入中の１つまたは複数の呼吸サイクルは、その後に、一時的記憶域から取得し、制御デバイス２０に伝送すればよい。
【００３３】
さらに別の例によれば、エアロゾル密度センサのセンサデータは、エアロゾル密度が例えば特定のしきい値を超えて変化するなど有意に変化した場合にのみ、制御デバイス２０に伝送されることになる。
【００３４】
別の例として、ＷＯ２０１５／０９１３５６Ａ１に記載されるものなど、電気的パラメータおよび振動周波数の統計的データ解析（例えばデータ曲線の傾き、および／またはデータ曲線下方の面積）に基づいてエアロゾル発生器の膜と接触している液体／流体、またはタンク内の液体／流体の存在を検出するセンサユニット３８ａは、タンクが空であるとき、または例えば傾斜角がこのしきい値を超えているときなど膜に液体／流体が提供されていないときにのみ、対応するセンサデータを制御デバイスに提供するように構成されることもある。
【００３５】
上記の２つの例に基づいて、エアロゾル発生器の動作停止の改善は、加速度計および／または傾斜センサ、液体／流体の存在を検出するセンサユニット３８ａ、ならびにエアロゾル密度および／またはエアロゾル品質を検出するセンサユニット３８ｂに基づいて実現することができる。特に、加速度計、または好ましくは傾斜センサデータに基づいて、傾斜角が大きすぎる（特定のしきい値を超える）という根拠だけで、液体タンクが実際に空であるかどうか、または液体が膜と接触していないかどうかを判定することができる。後者の場合には、エアロゾル発生器は動作停止させず、ユーザがエアロゾル噴霧システムを垂直に適切に保持するように実時間で通知される。
【００３６】
ここで、センサデータ制御ユニット２２によって、優先順位テーブルを提供することができる。この優先順位テーブルは、エアロゾル噴霧システムの特定の動作中にどのセンサデータを「ライブで」伝送するかを規定することができる。例えば、この優先順位テーブルは、通常の吸入中には（例えば呼吸流が既定のしきい値より大きい場合には）センサデータの縮小セットのみを伝送し、残りのセンサユニットの残りのセンサデータは、既定の伝送ウィンドウ（「ライブ」伝送のための伝送ウィンドウ）の外でのみ伝送する、と規定することもある。一方で、訓練吸入モード中には、適切な呼吸動作を学習するために、優先順位テーブルは、実時間フィードバックを提供するために制御デバイス２０の表示ユニットに例えば沈着シミュレーション、吸入評価、および／または成功率指標と関連付けて図５Ｄに示すようにグラフィック表示される呼吸流センサのセンサデータをより多く伝送するように規定することもある。
【００３７】
したがって、センサデータ制御ユニット２２は、実時間フィードバック機能が制御デバイス２０で行われているとエアロゾル噴霧システム３０に信号通信することができる。このような指示に応答して、エアロゾル噴霧システム３０は、処理ユニット３２で現在生成されている全てのセンサデータを伝送しようとせず、現在生成されているセンサデータのサブセットのみ、特に制御デバイスにおいて実時間フィードバックを実行するのに必要なセンサデータのみを伝送する動作を実行する。換言すれば、適当なセンサデータの選択は、制御デバイスにおいて高い優先順位で必要とされるセンサデータの適当なサブセットをフィルタリングまたは選択することによって実現することができる。すなわち、（上述の）処理ユニット３２によって生成された、または生成されることになるセンサデータは、センサデータのサブセットが例えば実時間フィードバックを提供する目的で制御デバイスに伝送されるためにリリースされるように、優先順位をつけられる。制御デバイスで直ちに必要とされているわけではないセンサデータの残りのセットは、エアロゾル噴霧システム３０に一時的に格納（キャッシュまたはバッファリング）することができ、例えば実時間フィードバックを行われなくなったときなど後の時点で、または後の時点における制御デバイスによる指定のプル動作に応じて、制御デバイス２０に伝送することができる。別の好ましい実施形態では、センサデータの残りのセットは、例えばユーザが特定の位置にいるときなど、ＷｉＦｉ接続またはＬｏＲａ接続などの特定のデータ転送機能を確立することができるときにのみ、伝送されることもある。
【００３８】
例えば、図１に破線で示す評価ユニット２３は、呼吸動作センサユニットによって生成されるデータに基づいて、生成されたエアロゾルの吸入中の患者の実際の呼吸（呼息および吸息）動作（以下では呼吸パターンとも呼ぶ）を決定することができる。格納されている所定の最適呼吸動作に基づいて、評価ユニット２３は、１つまたは複数の所定のしきい値を基準として実際の呼吸動作が最適呼吸動作から逸脱している場合に、患者／ユーザに対する表示および／または警告を生成することができる。ここで、最適呼吸動作は、医師が後に適応させることができる、年齢、性別、医療適用、肺機能、大きさおよび体重、ならびに疾患の重篤度などの患者／ユーザ情報に基づいて、制御デバイス２０が決定することができる。このような最適呼吸動作は、推奨呼吸数（１／分）、ピーク吸気流量および／または平均吸気流量（リットル／分）、吸気体積（リットル）、吸息期間（秒）、吸息／呼息期間比、息こらえ期間（秒）、呼吸動作を反復する中での上述の変数のいずれかの散乱（例えば標準偏差）、ならびに例えば米国胸部学会議（ＡＴＳ）、欧州呼吸器学会（ＥＲＳ）、国際医用エアロゾル学会（ＩＳＡＭ）、およびＧｌｏｂａｌ  Ｉｎｉｔｉａｔｉｖｅ  ｆｏｒ  Ａｓｔｈｍａ（ＧＩＮＡ）のガイドラインから導出することができる、例えば±１０リットル／分の許容範囲を有する３０リットル／分、好ましくは２０リットル／分±７リットル／分、より好ましくは１５リットル／分±５リットル／分、さらに好ましくは１２リットル／分±５リットル／分などの目標ピーク吸気流量など、この最適呼吸動作の既定の基準値に対する１つまたは複数の許容差値などの基本変数のセットによって特徴付けられることがある。
【００３９】
さらに、エアロゾル噴霧システムの使用中に呼吸動作センサユニットによって生成されるデータを現在使用されている液体および用いられている投与量に関する情報と関連付けて使用することにより、評価ユニット２３は、送達される投与量の実時間（以下で述べるように、吸入中であるが、肺活量計の使用中、または呼吸ガス分析の使用中でもある）の推定、および肺内の全体的または局所的なエアロゾル沈着量の実時間推定、すなわち患者／ユーザの肺内のエアロゾルの現在の沈着量の識別を提供するようにさらに構成されることもある。次いで、これを使用して、成功した治療または成功率についてのフィードバックを患者に与えることもできる。このフィードバックは、沈着シミュレーションまたは成功率指標を制御デバイス２０のディスプレイに表示することによって提供することもできるし、あるいは噴霧デバイスまたは制御デバイス上で可聴信号、視覚的信号、および／または触覚信号によって提供することもできる。
【００４０】
好ましい実施形態によれば、制御デバイス２０は、複数の異なる実時間フィードバックを実行することもある。このようなフィードバックは、ユーザ／患者によるエアロゾル噴霧システムの取扱いに関連して提供されることがある。このようなフィードバックは、また、流体の存在、ユーザ／患者による吸入の継続、および／または送達されるエアロゾル投与量についての障害診断（例えばスクリーンショットの形態）を提供することもある。別の例の実時間フィードバックは、吸入シミュレーションを提供することもあり、したがって、その実時間フィードバックのために、エアロゾル密度、エアロゾル品質、呼吸パターン、薬剤の種類についてのセンサデータのサブセットを必要とすることがある。例えば、噴霧の持続時間についてのセンサデータ、または流体存在センサの陽性検出は、噴霧中には不要である可能性がある。さらに、エアロゾル発生器における流体の存在についての進行中のセンサデータは、流体タンク内で十分な薬剤が入手可能であり、特定の制限しきい値に達していない限り、不要である可能性がある。さらに、傾斜角についてのセンサデータは、特定の臨界しきい値（例えばエアロゾル噴霧システムの不適切な取扱いを示す、または特定の健康状態（例えば振戦、震え、サルブタモール吸入後、または血中酸素（例えばマウスピース３５において光学的に測定される））を示すもの）に達したときにのみ伝送すればよい。
【００４１】
したがって、センサデータ制御ユニット２２は、複数の異なるトリガ（指示するもの）を使用して、高い優先順位で制御デバイスに伝送すべきセンサデータの異なるサブセットをそれぞれ要求することができる。
【００４２】
別の実施形態によれば、センサデータ制御ユニット２２は、さらに、エアロゾル噴霧システム３０のセンサユニットのうちの１つまたは複数の動作モードを制御するように構成されることもある。ここで、動作モードとは、センサユニットの電源オンモードまたはスリープモード、様々な電力消費段階、様々な異なるセンサデータ生成モード、および／あるいは制御デバイス２０にセンサデータを伝送するか、それ以上伝送すべきではないかを判断する基になるしきい値を指す可能性がある。したがって、制御デバイスは、センサユニットを選択的にスイッチオフすることができる。動作モードは、また、センサデータを生成して伝送する特定の順序を指すこともある。
【００４３】
ここで、適当なしきい値を定義することに関連するトリガ選択および／または動作モードは、必要に応じて適応または修正することができる統計値（例えば平均値）に基づくこともある。
【００４４】
例えば、制御デバイスの評価ユニット２３がユーザの振戦運動（エアロゾル噴霧システム３０の加速度計によって検出される振幅または周波数に基づく）がユーザ／患者の通常の状態（平均値）であり、健康状態の突然の低下を示しているものではないと判定した場合には、適当に更新されたしきい値を処理ユニット３２に信号通信して、加速度計の動作モードをスイッチオフする、または対応するセンサデータを伝送しないようにすることができる。したがって、外部制御デバイス２０は、評価ユニット２３によって設定されることができる特定の時間期間にわたって測定信号の取得（およびそれによるセンサデータの生成）を中断するようにトリガすることができる。ここで、制御デバイス２０によってトリガされる電力モード切換えは、例えば実時間フィードバックに必要な測定信号をより高いサンプリングレートまたはより高いサンプリング精度で提供するようにセンサユニットのサブセットに優先順位をつけることによって、エアロゾル噴霧システムにおけるセンサユニットの優先動作順序を実現することもある。
【００４５】
したがって、外部制御デバイス２０によって制御可能なセンサユニットの動作モードは、データモード切換えを含むことがある。このデータモード切換えが、測定信号の処理および／またはセンサデータの生成の選択的なオン／オフを含み、実時間フィードバックに関連するセンサデータがより高い優先度で生成される。これは、生成されたセンサデータの一部を確立されたワイヤレス接続を介して直ちには伝送せず、エアロゾル噴霧システムにキャッシュまたはバッファリングすることを含むこともある。データモード切換えは、また、例えばユーザ／患者の治療プロトコルが更新されて、普通なら例えば節電のためにオフになっているセンサユニットからの追加のセンサデータがさらに必要になったときなどに、治療プロトコルへの適応を含むこともある。
【００４６】
ここで、制御デバイス２０は、特定患者用の治療プロトコルを、医師がアクセス可能な外部サーバから取得することができる。このような特定患者用の治療プロトコルの指定を、評価ユニットが使用して、以下で述べるように、エアロゾル生成システム、およびさらに肺活量計システム、および呼吸ガス分析システムのセンサユニットからそれぞれ伝送されるデータに基づいて準拠度を決定することができる。ここで、評価ユニット２３が、所定のしきい値を超えて特定患者用の治療プロトコルから逸脱していると判定すると（例えば患者が特定の時間期間内に特定の回数のエアロゾル吸引を失敗したとき、または患者が肺診断データを取得するための特定の回数の肺活量計の使用を失敗したときなど）、評価ユニット２３は、適当な表示またはリマインダを生成することができる（そしていつ吸入および／または肺活量計による測定を行うべきかについてのカレンダ機能を実施することができる）、あるいは対応する通知を、医師／監督者／介護者／サービス電話直通回線／ＣＲＯ、またはその特定患者用の治療プロトコルを格納している中央サーバに送信することができる。
【００４７】
したがって、取得した準拠度データ（センサデータ）は、好ましくはユーザ／患者が準拠度データの制御を保持し、アクセスプロパティ（アクセス時間、アクセス権）を決定するのがユーザ／患者であるような方法で、例えばクラウドソリューションを介して、（集中）患者記録に関係する１つまたは複数のデータベースに集中的に収集することができる。その他の場合には、標準的な治療プロトコルは、予め制御デバイス２０に格納しておき、年齢、性別、体重、大きさ、医療適用、肺機能、および疾患の重篤度などの基本パラメータに基づいて患者／ユーザが適当な標準的な治療プロトコルを選択できるようにすることができる。
【００４８】
したがって、エアロゾル噴霧システム３０のセンサユニットは、外部制御デバイス２０によって制御されることがある。さらに詳細には、エアロゾル噴霧器がオンであっても、センサユニットの動作モードが、測定信号の生成を選択的にオフにするように制御されることがある。さらに、エアロゾル噴霧システムの処理ユニットの動作モードは、例えばセンサユニットのサブセットの測定信号を処理して治療関係データを生成するが、外部制御デバイスにおける実時間評価に必要な治療関係データのみは外部制御デバイスに伝送されるように設定されることもある。対照的に、外部制御デバイス２０における実時間評価に不必要な一部の治療関係データは、エアロゾル噴霧システムに一時的に格納しておき、後に、実時間評価に必要な治療関係データが成功裏に伝送された場合に、例えば外部制御デバイスからのプル命令、または処理ユニット３２からのプッシュ命令に基づいて、外部制御デバイスが取得することができる。この後続のセンサデータ転送の開始は、実時間評価の終了またはエアロゾル生成の停止などの後、特定の時間間隔（例えば３０秒または６０秒）だけ遅れることがある。
【００４９】
ここで、評価ユニット２３は、例えば治療プロトコルへの準拠度を評価するため、ならびに／または心拍数、血圧、およびインシュリンレベルなど、その他の健康関係データに関連して治療プロトコルを適応させるために、１つまたは複数のデータベース（患者記録、および医療チャートなどを格納する）、あるいは制御デバイス２０のその他のアプリケーションプログラム（Ａｐｐ）と対話することもできる。
【００５０】
図３は、エアロゾル噴霧システム３０および肺活量計システム５０と組み合わされて通信対話する、別の実施形態による制御デバイス２０を示す図である。図４は、エアロゾル噴霧システム３０、肺活量計システム５０、および呼吸ガス分析システム６０と組み合わされて通信対話する、別の実施形態による制御デバイス２０を示す図である。なお、これに換えて、呼吸ガス分析システムが、肺活量計システム５０を備えることもできる、すなわち、肺活量計システム５０が、ユーザ／患者の呼気を分析／評価することができることもあることに留意されたい。例えば、呼気は、ＮＯ、酸素（Ｏ2）、および炎症マーカについて分析することができる。
【００５１】
さらに別の実施形態では、これに換えて、肺活量計システムは、例えばメンブレン式噴霧器、およびジェット式噴霧器などを含むエアロゾル噴霧システム３０の一体部分として設けられることもある。このような実施形態では、エアロゾル噴霧システムは、上述のように、ユーザ／患者の肺によって吸息／呼息される空気の体積を測定し、換気を測定することができることもある。
【００５２】
さらに別の実施形態では、これに換えて、呼吸ガス分析システムは、例えばメンブレン式噴霧器、およびジェット式噴霧器などを含むエアロゾル噴霧システム３０の一体部分として設けられることもある。このような実施形態では、エアロゾル噴霧システムは、上述のように、ユーザ／患者の呼吸ガスを分析／評価することができることもある。
【００５３】
図３によれば、肺活量計システム５０は、確立されたワイヤレス通信接続を介して通信インタフェース５１によって制御デバイス２０の通信ユニット２１に伝送することができる追加のセンサデータ（肺活量計センサデータ）を生成するために処理ユニット５２において（上記で説明したように）処理される測定信号をそれぞれ生成する複数の追加のセンサユニット５３を備えることがある。
【００５４】
同様に、図４の呼吸ガス分析システム６０は、確立されたワイヤレス通信接続を介して通信インタフェース６１によって制御デバイス２０の通信ユニット２１に伝送することができる追加のセンサデータ（呼吸ガス分析センサデータ）を生成するために処理ユニット６２において（上記で説明したように）処理される測定信号をそれぞれ生成する複数の追加のセンサユニット６３を備えることがある。
【００５５】
呼吸ガス分析システムが肺活量計システムに組み込まれる場合には、呼吸ガス分析システムの追加のセンサユニット６３は、それぞれの測定信号を処理ユニット５２に転送することになる。
【００５６】
それぞれの通信インタフェース３３、５１、および６１と制御デバイス２０の通信ユニット２１との間のワイヤレス通信プロセスを適切に実行するためには、適当なデータ構造を使用しなければならない。ここで、データ通知の受信側、すなわち制御デバイス２０、噴霧システム３０、肺活量計システム５０、または呼吸ガス分析システム６０を識別する修飾子を含むデータ構造が使用されることがある。さらに、データ構造は、データ通知を適切に評価するために、データフォーマットの識別子、およびデータフォーマットのバージョンの識別子を含むこともあるが、これはまた、データ構造を追加のアプリケーションに合わせて適応および拡張することができるように十分に柔軟性を有する。
【００５７】
したがって、肺活量計システム５０および／または呼吸ガス分析システム６０は、１つまたは複数の追加のセンサユニットを備えることがある。特に、肺診断センサユニット、呼吸ガスセンサユニット、バッテリセンサユニット、およびユーザ認識センサユニットのうちの少なくとも１つが設けられる可能性がある。ここで、肺診断センサユニットは、以下でさらに述べるように、ＦｅＶｌ、ＶＣ、およびＭＥＦなどに基づいて肺機能を決定することができる。さらに、呼吸ガスセンサユニットは、以下でさらに述べるように、ＦｅＮＯ、ＮＯx、ＣＯ2、ＣＯ、Ｏ2、Ｏ3、およびＶＯなどの呼吸ガスの組成を決定することができる。さらに、バッテリセンサユニットは、肺活量計システム５０および／または呼吸ガス分析システム６０における（上述のように）充電の状態などを決定するために設けられることがある。さらに、上述の機能を有するユーザ認識センサユニットは、肺活量計システム５０および／または呼吸ガス分析システム６０に設けられることもある。
【００５８】
さらに詳細には、肺活量計センサユニットは、ユーザ／患者の肺によって吸息／呼息される空気の体積を測定することができる。さらに、別の肺活量計センサユニットは、換気、すなわち肺に出入りする空気の動きを測定することができる。既知の通り、例えば、圧力変換器、超音波送信器、または熱線風速計など、いくつかの異なる測定方法を使用する様々なタイプの肺活量計がある。これに換えて、またはこれに加えて、肺活量計システム５０は、非呼吸パラメータ（すなわち全身パラメータ）を取得するセンサユニットを有することもある。
【００５９】
ここで、制御デバイス２０の評価ユニット２３は、肺活量計システム５０をさらに使用して患者の気道の状態ならびに／あるいは肺の状態および／または機能を監視するときには、規定の治療プロトコルへの準拠度を評価するようにさらに適応されることもある。ここで、肺活量計システム５０は、規定の治療プロトコルに従って使用されることもある。例えば、治療プロトコルは、肺活量計システム５０を使用した診断を行うべき時点を示すこともある。このような規定の設定の例は、治療プロトコルに規定された時間期間中の特定の日付および／または時間、または５回吸入するたびに行うなど規定の回数の吸入後にそれぞれ診断を行うことなどである。１日あたり、１週間あたり、およびまたは１ヶ月あたりの特定の数など、具体的な回数は、さらに、個々の疾患によって決まることもある（例えば喘息患者またはＣＯＰＤ患者などについてＮＯｘおよび／またはコルチゾルの値が必要なときなど）。
【００６０】
さらに、制御デバイス２０のセンサデータ制御ユニット２２は、肺活量計システム５０および／または呼吸ガス分析システム６０のための第２の設定データを生成するように構成されることもある。第２の設定データは、肺活量計システム５０および／または呼吸ガス分析システム６０を適当に設定して動作を制御するためのデータ、特に、肺活量計システム５０および／または呼吸ガス分析システム６０に取り付けられた、かつ／または接続された、複数の追加のセンサユニットの動作モードについての設定である。肺活量計システム５０および／または呼吸ガス分析システム６０の動作は、上述のように、規定の治療プロトコルに従って第２の設定データによってさらに設定されることがある。
【００６１】
例えば、第２の設定データは、呼吸値および追加の非呼吸値（例えば心拍数、血圧、および酸素飽和度などの全身値）のうちの少なくとも１つに関する設定データを含むことがある。特に、呼吸値は、呼吸データ、特に呼吸頻度、呼息流または吸息流、あるいは吸息体積のうちの少なくとも１つを含むことがある。さらに、第２の設定データは、肺活量計システム５０および／または呼吸ガス分析システム６０の適当な使用（「使用サポート」）についての視覚的／光学的フィードバック指標、ならびに／あるいは適当な診断データに関するしきい値を含むこともある。例えば、赤色／黄色／緑色フィードバック表示を提供することもできる。それぞれのしきい値（公称値、目標値）は、規定の治療プロトコルに応じて、例えば個人データに応じて、制御デバイス２０の評価ユニット２３が適当に設定することができる。このような（ユーザ固有の）公称値は、規定の時間期間内の診断測定値の数を示すことができる（例えば１週間に１回の肺活量計測定を実行するために、それ以外の場合には、評価ユニットによってリマインダメッセージまたは警告メッセージがトリガされる）。さらに、適当なしきい値の設定、および／または適当な診断データ（例えばシリーズＡ、Ｂ、またはＣの肺活量計など、特定のシリーズの診断デバイスに関するものなど）の選択は、例えばデータベースに定義される対応する設定に基づいて自動的に実行することもできるし、あるいは医師、介護者、病院、薬剤師、療法士、および／または健康保険によって提供することもできる。したがって、評価ユニット２３は、診断関係の実時間フィードバックデータも生成する。
【００６２】
制御デバイス２０の通信ユニット２１は、生成された第２の設定データを、（第２の）ワイヤレス接続を介して肺活量計システム５０および／または呼吸ガス分析システム６０に送信することができる。この第２のワイヤレス通信接続は、上述した制御デバイス２０とエアロゾル噴霧システム３０の間のワイヤレス通信接続と同様に確立される。さらに、制御デバイス２０の通信ユニット２１は、第２の設定データに応答して、肺活量計システム５０および／または呼吸ガス分析システム６０が取得する追加のセンサデータ（すなわち呼吸値および／または非呼吸値）を受信することもある。ここで、追加のセンサデータは、患者の気道の状態、および／または肺の状態もしくは機能、ならびに／あるいは呼吸ガスの組成を示すことがある。これに加えて、またはこれに換えて、追加のセンサデータは、例えば噴霧液体の吸入中に、または噴霧液体の吸入後の特定の時点に、ユーザ／患者の心拍数、血圧、および／または酸素飽和度を示すこともある。
【００６３】
さらに、追加のセンサデータは、例えば％肺活量（ＶＣ）、努力性肺活量（ＦＶＣ）、全肺気量（ＴＬＣ）、全容量（ＴＣ）、吸気肺活量（ＦＶＣ）、１回呼吸量（ＴＶまたはＡＺＶ）、１秒間の努力性呼気肺活量（ＦＥＶ１）、１秒の相対容量（ＦＥＶ１／ＦＶＣ）、（子供のＦＥＶ０．５、ＣＯＰＤのＦＥＶ０．７５、ＦＥＶ１、ＦＥＶ３、ＦＥＶ６）、２５％の最大呼気流量（ＦＥＦ２５）、５０％ＦＶＣの最大呼気流量（ＦＥＦ５０）、および７５％ＦＶＣの最大呼気流量（ＦＥＦ７５）、さらにＦＥＶ０．５／ＦＶＣ、ＦＥＶ０．７５／ＦＶＣ、ＦＥＶ１／ＦＶＣ、ＦＥＶ３／ＦＶＣ、ＦＥＶ６／ＦＶＣ、努力性吸気肺活量（ＦＩＶＣ）、ＦＩＶ１、ＦＩＶ１／ＦＩＶＣ、ピーク吸気流量（ＰＩＦ）、努力性呼気時間（ＦＥＴ）、最大呼気圧（ＭＥＰ）、ピーク流量（ＰＥＦ）、「Ｚスコア」＝（ｙ−Ｙ）／ＲＳＤ、すなわち例えば疾患の悪化または良化を示す指標、ならびに疾患の進行および／または患者のコンプライアンス／アクセプタンスについてのインテリジェント予測（最良の場合には悪化の予測）などの評点または評価としての、評価補助、測定値の履歴、または測定値の変化として使用される平均予測値についての、観測値（ｙ）と予測値（Ｙ）の差を残差標準偏差（ＲＳＤ）で割った値、酸素飽和度（Ｏ2）、脈拍、温度、炎症値／マーカ（すなわち白血球(leukocytes)または白血球(leucocytes)とも呼ばれる白血球(white blood cells)（ＷＢＣ）、Ｃ反応性タンパク質（ＣＲＰ）、α１−酸性糖タンパク質、ハプトグロビン、セルロプラスミン、およびフィブリノゲン、ならびにインターロイキン（ＩＬ）、すなわち例えば肝臓のＩＬ６、および喘息のＩＬ４、ＩＬ５、ＩＬ９、ＩＬ１３などのＩＬ１からＩＬ３１、ならびに治療処置のためのそれらのアンチブロッカなど）などの血液値、咳モニタ値（すなわち咳頻度）、ならびに／あるいは呼息値（例えば悪化カウンタ／マーカ、ならびに／あるいは酸素（Ｏ2）、呼気中一酸化窒素濃度（ＦＥＮＯ）、酸化窒素（ＮＯx）、二酸化炭素（ＣＯ2）、上記のインターロイキン（ＩＬ）、および／または不活性気体率（すなわちヘリウム（Ｈｅ）、ネオン（Ｎｅ）、アルゴン（Ａｒ）、クリプトン（Ｋｒ）、キセノン（Ｘｅ）、および放射性ラドン（Ｒｎ））などのガス値）のうちの少なくとも１つに関連する肺活量測定値を含むこともある。
【００６４】
ＦＥＶ１、炎症値／マーカ範囲（値＜２６ｐｐｂ（ｐａｒｔｓ  ｐｅｒ  ｂｉｌｌｉｏｎ）＝健康）など、さらに多くの値およびパラメータが、例えばＡＴＳ、ＥＲＳ、ＩＳＡＭ、およびＧＩＮＡ（略記の説明は上記参照）によって定義される。
【００６５】
エアロゾル噴霧システムおよび／または肺活量計システム５０および／または呼吸ガス分析システム６０の使用は、記録することができ、対応するセンサデータ（上述）を制御デバイス２０に伝送することができる。ここで、制御デバイス２０は、エアロゾル噴霧器および／または肺活量計および／または呼吸ガス分析の機能をサポートおよび拡張する対応するアプリケーション（すなわちＡＰＰまたはモバイルＡＰＰ）を格納する、スマートフォン、タブレットコンピュータ、またはウェアラブルデバイスなど（上記参照）などのスマートデバイスであってもよい。エアロゾル噴霧器、肺活量計、および／またはガス分析デバイスを（ＡＰＰを介して）制御デバイスにつなぐことによって、治療プロトコルへの準拠度、治療プロトコルのサポート、および治療プロトコル自体を、例えば利用状況、診断、治療、訓練、およびサービスなどに基づいて改善することができる。
【００６６】
それぞれの追加センサユニットの測定信号を（上述のように）処理して、追加のセンサデータを生成することができ、このセンサデータを、その後に、制御デバイス２０が、エアロゾル噴霧システムからのセンサデータと組み合わせて、またはエアロゾル噴霧システムからのセンサデータとは別個に、評価し、提示(evaluate)し、評価(assess)することができる。
【００６７】
制御デバイス２０のセンサデータ制御ユニット２２は、肺活量計システム５０および／または呼吸ガス分析システム６０から制御デバイスにワイヤレス伝送される追加のセンサユニットの追加のセンサデータの選択も（例えば設定データ信号／指示を介して）トリガするようにさらに構成されることもある。また、選択された追加のセンサデータは、制御デバイス２０において実時間フィードバックを提供するために必要であることもある。このような実時間フィードバックは、例えば沈着シミュレーションなどのシミュレーションを実行することを含むことがある。この沈着シミュレーションは、Isaacs他、CRCnetBASE、CiteSeerX、the Hofmann deposition model （Hofmann W.、 Koblinger L. [1992] Monte-Carlo modeling of aerosol deposition in human lungs. Part III. Comparison with experimental data.、 J. Aerosol Med. 23、 51-63）、ICRP（International Commission on Radiological Protection）Publication 66（Human Respiratory Tract Model for Radiological Protection.、 Ann. ICRP 24 [1-3、 1994]）、またはMr. Dr. Rainer Koebrich PhD Program（Aerosol Bolus Calculation inspired from ICRP Publication 66）、Analysis of human lung morphometric data for stochastic aerosol deposition calculations（Koblinger L.、 Physics in Medicine and Biology、 Volume 30、 Number 6）に記載されるものなどの、経験的、決定論的、かつ／または確率的な計算型流体粒子ダイナミクス（ＣＦＰＤ）モデルに基づくことがある。
【００６８】
このような沈着シミュレーションにより、ユーザの肺内におけるエアロゾル化した液体の沈着を、制御デバイス２０のディスプレイ（図５Ｄ）に同時（実時間）表示(indicating)／表示(displaying)することが可能になる。制御デバイス２０においてこのような実時間フィードバックを提供するためには、シミュレーションの対応する入力パラメータ（関連する（優先される）センサデータの形式で）が実時間で必要となるので、これらの関連するセンサデータの選択および伝送が、センサデータ制御ユニット２２によってトリガされる。ここで、センサデータ制御ユニット２２は、上述のように、追加のセンサユニットのうちの１つまたは複数についての動作モード（電力モード切換え、データモード切換え）を選択するように構成されることもある。
【００６９】
フィードバックは、ユーザ／患者が肺活量計システムを測定に使用し始め、肺活量計システムが対応するメッセージを制御デバイス２０に送信したきに開始することができる。同様に、フィードバックは、ユーザ／患者がエアロゾル噴霧システムまたは呼吸ガス分析システムを使用し始めたときに開始することもできる。したがって、制御デバイス２０は、それらのシステムのうちの１つが使用されたときに、対応する通知が与えられ、それをそれぞれのフィードバックコンテンツに変える。この場合、フィードバックは、測定を適切に行うための、かつ／またはそれぞれのシステムを適切に取り扱うための命令を提供することもある。フィードバックをさらにサポートするために、例えば、「Ｂｉｒｄｓ  ａｎｄ  Ｔｒｅｅｓ」による子供用治療Ａｐｐである嚢胞性線維症アニメーション「Ｐａｔｃｈｉｅ」（ｈｔｔｐ：／／ｐａｔｃｈｉｅｗｏｒｌｄ．ｃｏｍ／）、バケツから水を吸い上げて花に水をまく像を表示したり（ｓｐｒｉｎｋｌｅｒ  ｓｙｓｔｅｍ）、様々な上空に浮かぶ風船を表示したり（Ｊ−Ｓｃｏｐｅ、  Ｊａｇｅｒ、  Ｖｉａｓｙｓ、  ＣａｒｅＦｕｓｉｏｎ）、道路でスケートをする子供たちを表示したり（Ｐｏｒｔａｂｌｅ  Ｓｐｉｒｏｍｅｔｅｒ、  ＭｉｃｒｏＬａｂ（商標）  Ｓｐｉｒｏｍｅｔｅｒ  ＢＤ、  ＣａｒｅＦｕｓｉｏｎ）、周知の瞬いたり消えたりする蝋燭の火を表示したり（Ｋｏｋｏ  Ｓｐｉｒｏｍｅｔｅｒｓ、  ｎＳｐｉｒｅ  Ｈｅａｌｔｈ、  Ｖｉａｓｙｓ、  ＣａｒｅＦｕｓｉｏｎ）するＰＡＲＩ社製のＳｐｉｒｏＳｅｎｃｅ  ３６０°などの肺活量計アニメーション、あるいはその他の「ゲーム」、ゲーミフィケーション、および／またはボーナスシステムを使用することもある。
【００７０】
さらに別の実施形態によれば、制御デバイス２０の評価ユニット２３は、さらに、ユーザ／患者が所定の治療および診断プロトコルに従ってエアロゾル噴霧システム３０、および／または肺活量計システム５０、および／または呼吸ガス分析システム６０を使用しているか否かを判定することもある。例えば、取得したセンサデータから導き出すことができる、それぞれの使用日時、使用持続時間、使用状態（センサデータを適切に取得するか否か）、を、所定の治療および診断プロトコルと比較することができる。例えば、所定の治療および診断プロトコルは、第１の特定の回数のエアロゾル吸入後に肺活量測定を行い、それとは異なる第２の回数のエアロゾル吸入後に呼吸ガス分析測定を行うように指示することもある。したがって、エアロゾル吸入を基準として肺活量測定および／またはガス分析測定の相対的な発生を評価することにより、評価ユニット２３は、治療および診断プロトコルに適切に準拠していることを監視することができる。
【００７１】
評価ユニット２３は、さらに、センサユニットのセンサデータ、および／または追加のセンサユニットの追加のセンサデータを使用して、所定の治療および診断プロトコルへの準拠度を好ましくは実時間で決定するように構成されることもある。プロトコルは、医師が定義することができ、その後、中央サーバに格納することができる。制御デバイス２０は、プロトコルをダウンロードするために中央サーバにアクセスすることができる。制御デバイスは、例えばエアロゾル薬剤吸入、および／または肺活量測定、および／またはガス分析測定イベントが近づいている場合にユーザ／患者に注意喚起する対応するカレンダ機能の実施と関連付けて、プロトコルを実施することができる。
【００７２】
ここで、センサデータは、さらに、緊急投薬が適用された回数（ユーザがどの薬剤を使用するかを選択する、または上述のように使用する薬剤が自動的に決定される）；吸入の回数、吸入流、および吸入体積を決定するための呼吸流測定；咳を検出するための音響測定；エアロゾル噴霧器および／または肺活量計の使用中の音響測定；熱を決定するための温度測定；光学測定；方位センサの使用を示すこともある。上記に基づいて、準拠度決定は、実時間で実行することができ、特に、
実際の処置および診断間隔と所定の治療および診断プロトコルとの比較、
実際の処置の持続時間と所定の治療プロトコルとの比較、
ユーザの実際の吸息／呼息パターンと所定の治療および診断プロトコルによって規定される吸息／呼息パターンとの比較、
実際のエアロゾル送達投与量および／またはユーザの肺内の沈着量の決定、
環境要因の決定、ならびに／あるいは
ユーザの差し迫った悪化の予測
のうちの１つまたは複数を含むことがある。
【００７３】
ここで、環境要因の決定は、花粉数、天候、天候の急変、温度、湿度、感染領域、についてのデータを取得することを含むことができる。これらは、（ＧＰＳ、Ｇａｌｉｌｅｏ、Ｇｌｏｎａｓｓ、地図データ、電話データ、電話網ポイント、またはＷｉＦｉポイントなどに基づいて）制御デバイス２０の現在位置に基づいて決定することができ、したがって１つまたは複数の対応するデータベースから取得することができる。したがって、例えば肺活量測定の頻度を適応させるなど、規定の治療および診断プロトコルを、制御デバイスによって環境の急変に適応させることができるので有利である。さらに、決定された環境要因は、肺内に沈着するエアロゾルを決定する状況で考慮することができる。治療および診断プロトコルへの準拠度、または治療および診断プロトコルの適応は、例えば視覚的表示、可聴表示、および／または触覚表示の形態で、制御デバイス２０において示すことができる。
【００７４】
したがって、様々なセンサデータ（例えば肺活量計の使用およびエアロゾル噴霧器の使用）と、環境要因（例えば空気中の花粉のデータ）およびユーザ固有のデータとの組合せに基づいて、評価ユニット２３は、センサデータと、要因と、ユーザ固有のデータとの間の特定の相関を決定して、ユーザの差し迫った悪化を予測することができる。評価、相関、および予測のそれぞれのための論理演算は、制御デバイス（ＡＰＰによって構成される）に一体化することができるので、定期的に更新することができる。
【００７５】
さらに別の実施形態では、制御デバイス２０の評価ユニット２３は、さらに、ユーザ認識ユニットに動作可能に接続されることがある。ここで、このようなユーザ認識ユニットは、エアロゾル噴霧システム３０、および／または肺活量計システム５０、および／または呼吸ガス分析システム６０、ならびに／あるいは制御デバイス２０に設けられる可能性がある。患者／ユーザ認識は、名前およびパスワード、コード（例えばデータベースにアクセスするときに使用することができるデバイス情報を規定するバーコード）、スマートカード、顔認証、指紋、虹彩スキャン、ユーザ／患者をさらに識別するためにセンサユニットが測定する特殊な特徴（汗試験、または熱を示す温度など）によって実現することができる。さらに、ユーザ認識は、別の医療デバイス（補聴器、心臓ペースメーカ、インシュリンポンプ）、あるいはユーザまたは運転者をスキャンして認識する機能をそれ自体が備えている車両から、識別データを受信することによって実現されることもある。
【００７６】
したがって、評価ユニット２３は、それぞれのデバイスおよび／またはシステムを使用する患者／ユーザを決定することができ、対応するシステム／デバイスは、認識されたユーザに対してのみ適切な動作を可能にすることができる。さらに、このような患者／ユーザ認識プロセスは、第１の所定の患者（例えば子供）がエアロゾル噴霧器を使用しているとして識別され、第２の所定のユーザ（例えば親、介護者、医師）が適切な準拠を監視するために制御デバイス２０を使用しているときにのみ、エアロゾル生成を可能にすることもある。したがって、このユーザ認識は、１人のユーザを認識するだけでなく、（少なくとも）２人のユーザを同時に認識することができ、これを適宜使用して、（親などによる）監督が制御デバイスで行われているときに、エアロゾル噴霧器、または肺活量計、またはガス分析システムの動作を可能にするようにすることができる。
【００７７】
さらに別の実施形態では、制御デバイス２０の評価ユニット２３は、さらに、センサデータおよび／または追加のセンサデータの評価に基づいて緊急呼び出し機能を生成するように構成されることもある。病院、コールセンターなどの緊急センターへのこの緊急呼び出しは、評価ユニット２３が自動的にトリガすることもできる（例えば、評価ユニット２３がユーザの急激な息切れまたは差し迫った悪化などを判定したとき）、あるいはユーザがトリガすることもできる。後者の場合には、この緊急呼び出しは、ユーザが単に１つのボタンを操作するだけでトリガすることができる。１つのボタンを操作するだけで、自動緊急メッセージを生成することができ、ユーザ／患者自身は病院と話さなくてもよいようので、有利である。このような機能は、ユーザ／患者の健康状態によって直接通信プロセスが行えない場合には、特に有利である。さらに、緊急メッセージとともに、例えば特定の時間期間についてのセンサデータおよび／または追加のセンサデータも含まれ、緊急センターは、患者／ユーザのところに向かう途中で例えば緊急ユニットによって患者／ユーザの健康状態を直ちに評価することができる。したがって、１分１秒を争う時間を有効に活用できる。
【００７８】
別の実施形態では、評価ユニット２３は、さらに、ユーザ／患者が所定の治療および診断プロトコルから所定のしきい値を超えて逸脱したときに、表示を提供するように構成されることもある。このような表示は、視覚的表示、音響表示、または触覚表示、あるいはそれらの組合せのうちの１つとすることができ、スマートフォンのスクリーン、スピーカ、およびバイブレータなど、制御デバイス２０の対応するハードウェア構成要素を使用して提供することができる。このような表示は、また、例えばユーザ／患者の医師、介護者、療法士、健康保険、サービス直通回線など、第三者に伝送することもできる。上記のしきい値は、予め決定しておくことができ、ユーザ／患者が（治療および診断プロトコルに規定される）標準的な挙動から逸脱していることを示すことができる。このしきい値は、また、例えば基準値、ガイドライン、または標準値の８０％、６０％、４０％より低い１秒の努力性呼気肺活量（ＦｅＶ１）など、健康状態の急激な悪化に関連して規定されることがある。
【００７９】
これに関連して、評価ユニット２３は、エアロゾル噴霧システム３０、および／または肺活量計システム５０、および／または呼吸ガス分析システム６０の使用の使用法誤りを決定することもある。これに加えて、またはこれに換えて、評価ユニット２３は、エアロゾル噴霧システム３０、および／または肺活量計システム５０、および／または呼吸ガス分析システム６０のエラー状態を決定することもある。
【００８０】
使用法誤りとは、エアロゾル噴霧システム３０、および／または肺活量計システム５０、および／または呼吸ガス分析システム６０の実際のユーザ／患者の使用法における誤りを指す。例えば、吸入回数、吸入の仕方（どれくらい速いか、どれくらい遅いか、息継ぎの持続時間）を実時間フィードバック（沈着シミュレーション）と相関させて、肺のどの領域に薬剤が沈着しているかを決定することもできる。したがって、使用法誤りは、実時間フィードバックによって薬剤が肺の適切な部位に沈着していないと判定された場合に、トリガすることができる。ユーザの誤りの判定は、また、適当なエアロゾル発生器が使用されているか否かの判定、エアロゾルの統計的性質（上述のＭＭＤなど）の決定、呼吸体積、呼吸量、呼吸ガス組成についての決定と関係があることもあり、したがって、エアロゾルが肺内の適切な沈着スポットに到達していないという理由でエアロゾル噴霧システムの現在の使用法が不正確であることを示す表示をユーザに提供することができる。逆に、評価ユニット２３は、エアロゾル噴霧システム３０、および／または肺活量計システム５０、および／または呼吸ガス分析システム６０の正確な使用法を促すために、適切な使用法を示すこともある。
【００８１】
エラー状態は、例えば不正確な組立て、またはバッテリ不良など、それぞれのデバイスのエラー状態に関係する。エアロゾル噴霧システム３０、および／または肺活量計システム５０、および／または呼吸ガス分析システム６０に関しては、したがって、エラー状態は、それぞれが使用するバッテリの現在の充電状態の決定、ならびに以前の充電および／または放電サイクルの決定など（上述）に関係していることがある。ここで、制御デバイス２０の評価ユニット２３は、例えばバッテリ故障が切迫しているときの交換用バッテリの購入および交換についてのサポート、またはバッテリの適時充電についてのサポートを提供することもある。さらに、充電および／または放電サイクルの評価を評価ユニット２３が使用して、充電式バッテリの予想寿命を推定することもできる。したがって、バッテリの状態を示すセンサデータは、常に制御デバイスに伝送され、したがって、ユーザ／患者はバッテリの放電プロセスなどを継続的に監視することができる。
【００８２】
決定されたエラー状態に基づいて、上述のように、評価ユニット２３は、さらに、エアロゾル噴霧システム３０の一部、および／または肺活量計システム５０の一部、および／または呼吸ガス分析システム６０の一部が保守または交換を必要としているかどうかを判定するように構成されることもある。例えば、評価ユニット２３は、エアロゾル噴霧システムのセンサユニットから、例えばエアロゾル発生器の膜（メッシュ）で閉塞、目詰まり、または経年劣化が生じていると判定したり、液体タンクが空になっている、または短時間（例えば所定の日数）のうちに空になると判定したり、エアロゾル発生器が不適切な特徴または統計的特性を有するエアロゾルを生成していると判定したりすることがあり、したがって、それぞれ膜を交換しなければならないとか、液体を再充填しなければならないとか、エアロゾル発生器の保守が必要であるとか判定する。さらに、特定のタイプのエアロゾル発生器が、そのタイプのエアロゾル発生器に使用される特定の薬剤と関連して識別されたときには、噴霧時間を評価することがあり、そこから、エアロゾル発生器の洗浄または交換が必要かどうかを導き出すこともある。これは、制御デバイスにおいて、適当な洗浄についての誘導をユーザに提供すること、または交換用エアロゾル発生器を要求することと組み合わせることもある。さらに、評価ユニット２３は、バッテリを交換しなければならないかどうか、または再充電しなければならないかどうかを判定することもある。その場合には、評価ユニット２３は、それに応じてプッシュ通知などを使用してユーザに通知することもある。
【００８３】
さらに、肺活量計システムのセンサユニットは、１年後に交換しなければならないこともある。さらに、フィルタを含む肺活量計のマウスピースが古くなったり、汚れたりした場合には、これも交換する必要がある。
【００８４】
交換は、エアロゾル発生器、バッテリ、混合チャンバ、イヤーパック、および／またはその他の交換部品についての、例えば「１ｃｌｉｃｋ（登録商標）」ボタン（Ａｍａｚｏｎ）などのアプリケーションソフトウェアプログラム（すなわちＡｐｐ）の１クリック購入ボタンなどの交換サービスを含むこともある。さらに別の交換サービス構成では、この交換注文は、例えばサービス契約が有効であり、かつ／あるいはサービス直通回線、ならびに介護者、交換サービス、および／またはデバイス製造業者にコンタクトすることができる場合には自動的に開始することもある。このコンタクトは、例えば電子メール、電話、モバイル、スマートフォン、タブレット、ノートブック、ネットブック、ＰＣ、および／またはＨＵＢを介して行うことができる。
【００８５】
さらに、このような決定は、特定の薬剤についての噴霧器の使用時間の決定、および／またはエアロゾル発生器、肺活量計、および／または呼吸ガス分析システムの使用持続時間、使用頻度、および／または洗浄行為の評価に基づくこともある。
【００８６】
さらに、使用法誤りおよび／またはエラー状態が決定されるとき、ならびに／あるいはエアロゾル噴霧システム３０、および／または肺活量計システム５０、および／または呼吸ガス分析システム６０の一部が保守または交換を必要としているときに、制御デバイスの評価ユニット２３は、制御デバイス２０において提供される表示に加えて、介護者、コールセンター、および／または医師への通知メッセージの伝送を開始することもある。したがって、保守／交換の必要の適切な取扱いが、この通知の受信ユニットによってサポートされることもある。上記で説明したように、制御デバイスは、このような交換用備品を直接注文するように構成されることもある。
【００８７】
さらに、別の実施形態では、評価ユニット２３は、エアロゾル噴霧システム３０、および／または肺活量計システム５０、および／または呼吸ガス分析システム６０の設定データを適応させることもある。特に、この設定データは、それぞれのシステムにおいて視覚的表示、可聴表示、および／または触覚表示を行うために使用されるユーザ固有のしきい値および／またはパラメータに関して適応されることがある。このユーザ固有のしきい値および／またはパラメータは、上述のように、実時間フィードバックに基づいて適切に更新することができる。設定データは、別のタイプのエアロゾル発生器などの使用などに関連して適応されることもある。このユーザ固有のしきい値は、「交通信号」表示を実施するユーザ固有の範囲を含むこともある。特に、この設定データは、新たなタイプのエアロゾル発生器などの適切な動作についてのパラメータを含むこともある。したがって、エアロゾル噴霧システム３０、および／または肺活量計システム５０、および／または呼吸ガス分析システム６０は、制御デバイス２０によって個人用設定することができる。
【００８８】
上記の表示および／または警告は、呼吸および／または吸入動作を最適化するための患者／ユーザの訓練をサポートすることができる。この訓練は、さらに、訓練が進行し、患者／ユーザが最適な呼吸および／または吸入動作への準拠度が改善された呼吸および／または吸入パターンを発達させるにつれて適当に適応される、すなわち小さくなる、時間依存しきい値を提供することを含むこともある。この訓練は、さらに、吸入を開始するそれぞれのタイミング、および／または吸入を終了するそれぞれのタイミングについての音響的手がかりおよび／または視覚的手がかりを患者／ユーザに提供することを含むこともある。
【００８９】
エアロゾル噴霧システム３０、および／または肺活量計システム５０、および／または呼吸ガス分析システム６０に関連して制御デバイス２０によって取得されたセンサデータは、様々な選択肢で格納、管理、または共有することができる。例えば、センサデータは、制御デバイス２０のストレージユニット２５にローカルに格納されることもある。その一方で、センサデータは、クラウドソリューションまたは中央サーバと同期させて、医師、ならびに例えば医薬品開発業受託機関（ＣＲＯ）、介護者、および療法士などがアクセスできるようにすることもできる。
【００９０】
制御デバイス２０は、さらに、患者／ユーザに電子日記を提供することもある。電子日記は、標準化したアンケート（例えばＡＣＴ症状スコア）、あるいはその他の個別または一般的な質問、または特殊な個別の健康に関する実際の出来事（例えば急性の咳、花粉またはペットなどのアレルゲンとの接触など）などの注釈の可能性によって補足されることもある。制御デバイス２０は、さらに、デバイスの使用についての一般情報、および／あるいは呼吸研究または肺疾患についての情報、ならびに更新されたサービスへのリンクと、呼吸疾患、治療、および研究にリンクされたインターネット内の情報とを提供することもある。
【００９１】
図５Ａから図５Ｅは、実施形態による制御デバイスにおける患者の訓練およびサポートに関連する概略図である（制御デバイスの表示ユニットに表示される）。
【００９２】
特に、図５Ａは、特定の月、日、時間に関連する、患者／ユーザの電子日記を示す概略図である。電子日記に特定の日を入力すると、例えば図５Ｂに示す吸入時間の長さなど、取得した治療関係データにアクセスして視覚化することができる。図５Ｃに示すように、特定の日時に吸入プロセスが上手く行われた（状態４）ことを、吸入プロセスの持続時間、および使用した特定の薬剤を示す表示とともに示す、個別の吸入に関連する追加の情報を示すこともできる。なお、様々な状態パラメータ、特に吸入デバイスが接続されていない、薬剤がない、バッテリが空である、タイムアウト、およびユーザによる打ち切りなどのエラー状態を使用することもできる。さらに、図５Ｄは、吸入されたエアロゾルの沈着部位についての表示とともに肺の概略図の少なくとも一部をユーザに対して実時間で示す沈着シミュレーションの結果を示す概略図である。肺沈着は、肺全体、肺中心部、および／または肺周辺部について、また例えば第３世代の呼吸気道分岐などについて、表示することができる。さらに、吸入動作の総持続時間に関して、中央粒径（ＭＭＡＤ）、および幾何学的標準偏差（ＧＳＤ）、ならびに吸入相の持続時間および／または速度、またはエアロゾル塊を表示することもできる。さらに、図５Ｅは、制御デバイスにおいて患者の訓練およびサポートを行うための選択肢を示す概略図である。特に、図５Ｅは、ユーザが吸入データの読み出しと、吸入データ（図５Ｄに示す沈着シミュレーションまたは挙動を含む）の閲覧と、エアロゾル噴霧システムの登録と、電子日記と、およびプロトコルの処理（編集）との間で選択することができる場合を示している。もちろん、患者の訓練およびサポートは、肺活量計システムおよび／または呼吸ガス分析システムに関する対応する機能を提供することもできる。
【００９３】
別の実施形態によれば、コンピュータの１つまたは複数のプロセッサで実行されたときに、その１つのプロセッサまたはその複数のデータプロセッサに、上述の制御デバイス２０を実施させる、命令を含むコンピュータプログラムが提供される。
【００９４】
図６は、別の実施形態によるエアロゾル噴霧システム３０と組み合わされて通信対話する上述の制御デバイス２０を示す図である。以下では、エアロゾル噴霧システム３０の特定の構造を、混合チャンバ３４に関連して説明する。もちろん、上述のセンサユニットも、図６に示すエアロゾル噴霧システム３０に設けられる。上述のセンサユニットに加えて、吸息弁７０および／または呼息弁７３（後述）に関連して（例えばその近傍に）センサユニットが設けられることもある。
【００９５】
本発明のこのさらに別の実施形態は、エアロゾル発生器３１および混合チャンバ３４の両方を有するエアロゾル噴霧システム３０を含むことができる。エアロゾル発生器３１は、例えば液体および／または薬液用の液体格納容器７８を含む。この薬液は、関心のある薬剤を含む溶液、懸濁液、または乳濁液からなる液体および／または製剤とすることができる。好ましい実施形態では、薬液は、溶液、懸濁液、または乳濁液に調製された活性薬剤または医薬品有効成分である。エアロゾル発生器は、片側が液体格納容器に接続されて、液体格納容器に入っている液体が穴あき膜（隔壁、メッシュ）の片側と接触するようになっている穴あき膜も含む。膜は、膜を振動させて、液体格納容器内の液体が膜に開いている開口を通して噴霧されるように計量分配または投与されて、混合チャンバに入ることができるようにすることができる、振動発生器に接続される。混合チャンバは、呼息相中にエアロゾルが逃げることを防止しながら、吸入相中に周囲空気が混合チャンバ３４に流入することを可能にする吸息弁７０を有する。混合チャンバ３４は、吸息相中に周囲空気が流入することを防止しながら、呼息相中に患者の呼気を排出することを可能にする呼息弁７３も有する。
【００９６】
本発明の実施形態として図６に示す構成を参照すると、エアロゾル発生器３１は、好ましくは円盤である膜（エアロゾル発生器３１の一部分）によって１つの側が画定された円筒形の液体格納容器７８を含む。液体格納容器に充填された液体（図示せず）は、膜の片側と接触する。例えば圧電結晶などの振動発生器が、膜の周囲を取り囲み、振動発生器が膜を振動させることができるようになっている。そのためには、振動発生器のための電気駆動回路または上述の制御デバイス２０が必要である。膜に開いている開口を通して、膜の片側に近接する液体が膜の反対側に噴霧され、それにより混合チャンバ３４内に噴霧される。
【００９７】
液体格納容器７８は、特定の薬剤を計量分配するための入口点を提供することが好ましい。１つの実施形態では、液体格納容器７８は、エアロゾル噴霧システム３０に直接嵌入された液体タンクである。別の実施形態では、薬剤は、単回投与または多回投与用容器から計量体積として液体格納容器７８に供給される。多回投与用容器を使用する場合には、この容器は、市販の鼻スプレー製品で使用される標準的な計量ポンプシステムを備えることが好ましい。
【００９８】
液体格納容器７８が円筒形である場合には、膜が円形の設計を有し、振動発生器は環状の設計を有することが好ましい。エアロゾル噴霧システム３０は、エアロゾル発生器３１と、吸息弁７０および呼息弁７３を有する混合チャンバ３４とを含む。
【００９９】
好ましくは、エアロゾル発生器３１は、混合チャンバ３４のやはり円筒形の設計の部分に配置される。これにより、エアロゾル発生器３１の周りに環状の隙間が生じ、その隙間を通って吸入相中に周囲空気が混合チャンバ３４に流入することができる。
【０１００】
マウスピース３５は、混合チャンバ３４と一体形成されることが好ましいが、混合チャンバに取外し可能に取り付けることもできる。患者は、マウスピース３５を通してエアロゾルを吸入する。エアロゾルは、エアロゾル発生器３１によって生成され、混合チャンバ３４に格納される。マウスピース３５のサイズおよび形状は、マウスピース３５によって混合チャンバ３４が拡大されると同時に、呼息弁７３の配置が可能になるように選択することができる。呼息弁は、患者に向いているマウスピース３５の開口に隣接して位置することが好ましい。
【０１０１】
患者がマウスピース３５の開口内に呼息すると、呼息弁７３が開いて、患者の呼気が周囲に排出される。そのために、呼息弁７３の弁要素７５が持ち上がり、呼息弁７３の開口７４を開く。患者が吸入噴霧器内に呼息すると、吸息弁７０の弁要素７２が吸息弁の開口７１を閉じて、吸息弁７０が閉じる。
【０１０２】
患者がマウスピース３５の開口を通して吸息すると、吸息弁７０が開いて、弁要素７２が持ち上がるにつれて開口７１が開く。これにより、周囲空気が吸息弁７０および環状の隙間を通って混合チャンバ３４に流入し、エアロゾルとともに患者に吸入される。呼息相中にエアロゾルが混合チャンバ３５内に蓄積すると、特に吸息相の開始時に、増加した量のエアロゾル、いわゆるエアロゾル塊を患者が利用できるようになる。
【０１０３】
好ましい実施形態では、吸息弁は、エアロゾルの円筒形形状および環状の隙間に合わせて適応される。可撓性の弁要素７２を、混合チャンバ３４の円筒形部分に例えばねじ留めされるなどして取り付けられたキャップの中心に配置された固定用突起に取り付けられた円盤として形成する。このキャップも、円筒形の接続片を有し、この接続片が、液体格納容器７８の外壁と相互作用して、弁要素７２を締め付けて固定する。
【０１０４】
円筒形接続片の液体格納容器７８に向いている側には、第１の円環ディスク７２も一体形成され、この第１の円環ディスク７２内に、吸息弁７０の開口７１が画定されている。対応する開口がキャップに設けられて、吸入プロセス中に周囲空気が開口７１および隙間を通って混合チャンバ３４に流入することができるようになっている。エアロゾル発生器３１は、膜を含む前側に、吸息相中に周囲空気が流れる開口を有する第２の円環ディスクを有する。この円環ディスクは、混合チャンバ３４の円筒径部分の内壁に形成された突起に載っている。したがって、キャップがその上に位置決めされてねじ留めされると、エアロゾル発生器３１と、吸息弁７０の可撓性弁要素７２とがしっかりと固定される。
【０１０５】
メンブレン式エアロゾル発生器および混合チャンバの一部分の上述した円筒形設計を除けば、他の実質的に回転対称な設計は有利に使用されることができる。さらに、エアロゾル発生器の膜は、傾いた姿勢で配置することもでき、それによりメンブレン式エアロゾル発生器によって生成されるエアロゾルの拡散に影響を及ぼし、したがって、それに関して、混合チャンバおよびマウスピースもまた特定の設計を最適化することができる。
【０１０６】
混合チャンバ３４すなわちいわゆる吸入チャンバ３４は、吸息弁７９および呼息弁７３のうちの少なくとも１つを有し、混合チャンバ３４において、この吸息弁および呼息弁は、可撓性膜７２、７５をそれぞれ備えた開口７１、７４を有する一方向弁として形成することができる。混合チャンバ３４のこの構成は、図６に示してあるが、エアロゾル雲が呼息相中に蓄積し、凝縮したエアロゾル塊が吸息相中にユーザに送達されるので、エアロゾル出力が向上する。
【０１０７】
上述のように、吸息弁７０および／または呼息弁７３に関連して（例えば近接して）追加のセンサユニットが設けられることがあり、したがって、この追加のセンサユニットは、吸息弁７０および／または呼息弁７３の位置、例えばそれぞれの弁に近い接触面に配置される。この追加のセンサユニットは、例えば光学検出または音響検出によって、それぞれの弁が検出された呼吸動作に従って切り替わるかどうかを検出することができる。この追加のセンサユニットは、例えば光学検出または音響検出によって、あるいは好ましくは接触検出によって、一方向弁の閉止または閉位置を検出することができる。したがって、例えば可撓性膜および一方向弁の弁座は、２成分の可撓性および／または非可撓性の材料に形成されることもある、導電性の可撓性材料で部分的に構成されることもある。この材料は、一部または全体が、高分子、プラスチック、シリコン、ゴム、ポリウレタン、またはポリプロピレンなどの材料で構成されることがある。さらに、混合チャンバ内の乱流、圧力差（例えば混合チャンバの内側と外側の間の差、または混合チャンバ内の差）、および／あるいはエアロゾル流を検出し、それぞれのセンサデータとして制御デバイス２０に提供することができる。上述のセンサデータ制御ユニット２２は、これらのセンサデータに関連する選択をトリガすることもできる。
【０１０８】
別の実施形態によれば、制御デバイスは、上述の肺活量計システム５０、および／または上述の呼吸ガス分析システム６０を制御するために設けられ、ここで、肺活量計システム５０および／または呼吸ガス分析システム６０は、複数の追加のセンサユニットを含む。ここで、通信ユニット２１は、ワイヤレス通信接続を確立し、肺活量計システム５０および／または呼吸ガス分析システム６０とのデータ伝送を実行するように構成され、センサデータ制御ユニット２２は、制御デバイス２０にワイヤレス伝送される追加のセンサユニットの追加のセンサデータの選択をトリガするように構成される。上述のように、選択された追加のセンサデータは、制御デバイスにおいて実時間フィードバックを提供するために必要であり、センサデータ制御ユニット２２は、追加のセンサユニットのうちの１つまたは複数の動作モードを制御することができる。この動作モードは、上述のように、電力モード切換え、および／またはデータモード切換えを含むことがある。この制御デバイスは、上述のようにエアロゾル噴霧システムの動作を制御するように構成されることもある。
【０１０９】
したがって、制御デバイスの上記のそれぞれのユニットは、コンピュータプログラムによって定義され、主メモリに格納された命令を解釈して実行する１つまたは複数のプロセッサ、マイクロプロセッサ、あるいはその他の処理論理を含むそれぞれの処理ユニット（ＣＰＵ）によって実装されることがある。主メモリは、情報、およびそれぞれのモジュール／ユニットによって実行される命令を格納することができる、ＲＡＭまたはその他のタイプの動的ストレージデバイスを含む可能性がある。例えば、上述の評価ユニットおよび／またはセンサデータ制御ユニットは、処理ユニットによって実現されることがある。ＲＯＭは、処理ユニットによって使用される静的な情報および命令を格納することができる、ＲＯＭデバイスまたはその他のタイプの静的ストレージデバイスを含む可能性がある。
【０１１０】
制御デバイス２０は、処理ユニットが主メモリ、ＲＯＭ、および／またはストレージデバイスなどのコンピュータ可読媒体に収容されたソフトウェア命令を実行したのに応答して、これらの動作を実行することができる。コンピュータ可読媒体は、物理または論理メモリデバイスとして定義されることがある。例えば、論理メモリデバイスは、１つの物理メモリデバイス内のメモリを含むことも、複数の物理メモリデバイスにわたって分散したメモリを含むこともある。主メモリ、ＲＯＭ、およびストレージデバイスはそれぞれ、プログラムコードとして命令を備えるコンピュータ可読媒体を含むことがある。ソフトウェア命令は、ストレージデバイスなどの別のコンピュータ可読媒体から主メモリに読み込まれることも、通信インタフェースを介して別のデバイスから主メモリに読み込まれることもある。
【０１１１】
主メモリに収容されるソフトウェア命令は、データプロセッサを含む処理ユニットで実行されたときに、その処理ユニットに対し、本明細書に記載する動作またはプロセスをデータプロセッサに実行させることがある。あるいは、ハードワイヤード回路を、ソフトウェア命令の代わりに、またはソフトウェア命令と組み合わせて使用して、本明細書に記載する動作および／またはプロセスを実施することもできる。したがって、本明細書に記載する実施態様は、いかなる特定のハードウェアとソフトウェアの組合せにも限定されない。
【０１１２】
さらに、制御デバイスのそれぞれのユニットは、ハードウェア、ソフトウェア、フィールドプログラマブルゲートアレイ（ＦＰＧＡ）、特定用途向け集積回路（ＡＳＩＣ）、またはファームウェアなどで実装することができる。
【０１１３】
本発明の範囲を逸脱することなく、本発明のエンティティおよび方法、ならびに本発明の構造に、様々な修正および変更を加えることができることは、当業者には明らかであろう。
【０１１４】
全ての点において制限ではなく例示を目的とした特定の実施形態および例に関連して、本発明について説明した。当業者なら、多くの様々なハードウェア、ソフトウェア、および／またはファームウェアの組合せが本発明の実施に適することを理解するであろう。
【図１】
2020512161.tif 000003
【図２】
2020512161.tif 000004
【図３】
2020512161.tif 000005
【図４】
2020512161.tif 000006
【図５Ａ】
2020512161.tif 000007
【図５Ｂ】
2020512161.tif 000008
【図５Ｃ】
2020512161.tif 000009
【図５Ｄ】
2020512161.tif 000010
【図５Ｅ】
2020512161.tif 000011
【図６】
2020512161.tif 000012
【国際調査報告】
2020512161.tif 000013
2020512161.tif 000014
2020512161.tif 000015